(57)【要約】【課題】  複数のユーザで光ディスクを共有する場合に、他のユーザが記録したコンテンツを飛ばして、自分が記録したコンテンツのみ順番に再生させることができ、且つ自分が記録したコンテンツが他のユーザに視聴されるのを防止できる光ディスク装置を提供する。【解決手段】  光ディスク１１に記録されているコンテンツ毎に、そのコンテンツの管理者を示すユーザ識別情報が付加されている。光ディスク装置１は、光ディスク１１に記録されているコンテンツ毎に付加されているユーザ識別情報を取得する。光ディスク装置１は、光ディスク１１の再生時に、ユーザ識別情報、およびパスワードの入力を受け付け、これらが適正であれば、入力されたユーザ識別情報が付加されていないコンテンツを飛ばして、入力されたユーザ識別情報が付加されているコンテンツを順番に再生する。【選択図】  図１
2005332526.tif 000002
【特許請求の範囲】
【請求項１】
本体にセットされている光ディスクに記録されているコンテンツを再生する再生手段を備えた光ディスク装置において、
光ディスクに記録されているコンテンツ毎に、このコンテンツに付加されている管理者を識別する管理者識別情報を取得する管理者識別情報取得手段と、
前記管理者識別情報と、前記パスワードと、を対応づけて記憶する記憶手段と、
再生手段により再生するコンテンツに付加されている管理者識別情報に対応づけられているパスワードを前記記憶手段から取得するパスワード取得手段と、を備え、
前記再生手段は、前記管理者識別情報取得手段により本体にセットされている光ディスクに記録されている前記コンテンツ毎に管理者識別情報を取得し、この光ディスクの再生開始時に、前記管理者識別情報および前記パスワードの入力を受け付け、ここで入力された管理者識別情報が付加されていないコンテンツを飛ばして、入力された管理者識別情報が付加されているコンテンツを順番に再生する管理者指定再生機能を有し、
さらに、再生するコンテンツに付加されている前記管理者識別情報に対応づけられている前記パスワードが入力されないとき、前記再生手段によるこのコンテンツの再生を禁止する再生禁止手段と、
光ディスクに対するコンテンツの記録時に、このコンテンツの管理者を識別する前記管理者識別情報をこの光ディスクに記録する記録手段と、を備えた光ディスク装置。
【請求項２】
本体にセットされている光ディスクに記録されているコンテンツを再生する再生手段を備えた光ディスク装置において、
光ディスクに記録されているコンテンツ毎に、このコンテンツに付加されている管理者を識別する管理者識別情報を取得する管理者識別情報取得手段と、
前記管理者識別情報に対応づけられているパスワードを取得するパスワード取得手段と、を備え、
前記再生手段は、前記管理者識別情報取得手段により本体にセットされている光ディスクに記録されている前記コンテンツ毎に管理者識別情報を取得し、この光ディスクの再生開始時に、前記管理者識別情報および前記パスワードの入力を受け付け、ここで入力された管理者識別情報が付加されていないコンテンツを飛ばして、入力された管理者識別情報が付加されているコンテンツを順番に再生する管理者指定再生機能を有し、
さらに、再生するコンテンツに付加されている前記管理者識別情報に対応づけられている前記パスワードが入力されないとき、前記再生手段によるこのコンテンツの再生を禁止する再生禁止手段を備えた光ディスク装置。
【請求項３】
前記管理者識別情報と、前記パスワードと、を対応づけて記憶する記憶手段を備え、
前記パスワード取得手段は、再生手段により再生するコンテンツに付加されている管理者識別情報に対応づけられているパスワードを前記記憶手段から取得する手段である請求項２に記載の光ディスク装置。
【請求項４】
光ディスクに対するコンテンツの記録時に、このコンテンツの管理者を識別する前記管理者識別情報をこの光ディスクに記録する記録手段を備えた請求項２または３に記載の光ディスク装置。
【発明の詳細な説明】
【技術分野】
【０００１】
この発明は、ＣＤやＤＶＤ等の光ディスクに記録されているコンテンツを再生する光ディスク装置に関する。
【背景技術】
【０００２】
従来、ＣＤやＤＶＤ等の光ディスクに記録されているコンテンツを再生する光ディスク装置が一般に普及している。また、特許文献１には、光ディスクに記録されているコンテンツ（曲）毎に再生場面を示す識別情報を付加することができ、ユーザが選択した再生場面に応じて、該当する識別情報が付加されていないコンテンツを飛ばし、該当する識別情報が付加されているコンテンツを順番に再生する光ディスク装置が記載されている。この特許文献１の光ディスク装置では、再生場面を選択するだけで、選択した再生場面に応じたコンテンツを順番に再生するプログラム再生にかかる操作が行えるので、ユーザの操作性が向上できる。
【特許文献１】特開２０００−１２３５５７号公報
【発明の開示】
【発明が解決しようとする課題】
【０００３】
しかしながら、複数のユーザで光ディスクを共有する場合、各ユーザが他のユーザが記録したコンテンツを飛ばして、自分が記録したコンテンツのみ順番に再生できるように構成することは、特許文献１に記載されている構成を利用すれば可能であるが、自分が記録したコンテンツが他のユーザに視聴されるのを防止できないという問題がある。具体的には、特許文献１における識別情報を、そのコンテンツを記録したユーザを示す識別情報とし、再生時に識別情報を入力させ、該当する識別情報が付加されていないコンテンツを飛ばし、該当する識別情報が付加されているコンテンツを順番に再生することで、各ユーザが他のユーザが記録したコンテンツを飛ばして、自分が記録したコンテンツを順番に視聴できる。しかし、ユーザが他のユーザの識別情報を入力することで、他のユーザが記録したコンテンツについても視聴できる。例えば、家族で光ディスクを共有している場合、父親等が光ディスクに記録した子供に視聴させたくないコンテンツについて、子供がこのコンテンツを視聴するのを制限できなかった。
【０００４】
この発明の目的は、複数のユーザで光ディスクを共有する場合に、他のユーザが記録したコンテンツを飛ばして、自分が記録したコンテンツのみ順番に再生させることができ、且つ自分が記録したコンテンツが他のユーザに視聴されるのを防止できる光ディスク装置を提供することにある。
【課題を解決するための手段】
【０００５】
この発明の光ディスク装置は、上記課題を解決するために以下の構成を備えている。
【０００６】
（１）本体にセットされている光ディスクに記録されているコンテンツを再生する再生手段を備えた光ディスク装置において、
光ディスクに記録されているコンテンツ毎に、このコンテンツに付加されている管理者を識別する管理者識別情報を取得する管理者識別情報取得手段と、
前記管理者識別情報に対応づけられているパスワードを取得するパスワード取得手段と、を備え、
前記再生手段は、前記管理者識別情報取得手段により本体にセットされている光ディスクに記録されている前記コンテンツ毎に管理者識別情報を取得し、この光ディスクの再生開始時に、前記管理者識別情報および前記パスワードの入力を受け付け、ここで入力された管理者識別情報が付加されていないコンテンツを飛ばして、入力された管理者識別情報が付加されているコンテンツを順番に再生する管理者指定再生機能を有し、
さらに、再生するコンテンツに付加されている前記管理者識別情報に対応づけられている前記パスワードが入力されないとき、前記再生手段によるこのコンテンツの再生を禁止する再生禁止手段を備えている。
【０００７】
この構成では、光ディスクに記録されているコンテンツ毎に、そのコンテンツの管理者を示す管理者識別情報が付加されている。管理者識別情報取得手段が、光ディスクに記録されているコンテンツ毎に付加されている管理者識別情報を取得する。また、パスワード取得手段が、管理者識別情報に対応づけられているパスワードを取得する。再生手段は、光ディスクの再生時に、管理者識別情報、およびパスワードの入力を受け付け、これらが適正であれば、入力された管理者識別情報が付加されていないコンテンツを飛ばして、入力された管理者識別情報が付加されているコンテンツを順番に再生する。一方、入力されたパスワードが適正でなければ、再生禁止手段が再生手段によるコンテンツの再生を禁止する。
【０００８】
したがって、複数のユーザで光ディスクを共有する場合に、他のユーザが記録したコンテンツを飛ばして、自分が記録したコンテンツのみ順番に再生し、視聴することができ、且つ自分が記録したコンテンツが他のユーザに視聴されるのを防止できる。
【０００９】
（２）前記管理者識別情報と、前記パスワードと、を対応づけて記憶する記憶手段を備え、
前記パスワード取得手段は、再生手段により再生するコンテンツに付加されている管理者識別情報に対応づけられているパスワードを前記記憶手段から取得する手段である。
【００１０】
この構成では、記憶手段が前記管理者識別情報と前記パスワードとを対応づけて記憶しており、パスワード取得手段がこの記憶手段から入力された管理者識別情報に対応づけられているパスワードを取得する。
【００１１】
（３）光ディスクに対するコンテンツの記録時に、このコンテンツの管理者を識別する前記管理者識別情報をこの光ディスクに記録する記録手段を備えている。
【００１２】
この構成では、記録手段がコンテンツの記録時に、そのコンテンツの管理者を識別する管理者識別情報を光ディスクに記録する。したがって、装置本体に光ディスクに記録されているコンテンツ毎に管理者を識別する管理者識別情報を対応づけて記憶するための構成を設ける必要がなく、装置本体のコストアップが防止できる。
【００１３】
なお、各コンテンツに対応する管理者識別情報は、例えば光ディスクのＴＯＣ領域等に記録すればよい。
【発明の効果】
【００１４】
この発明によれば、複数のユーザで光ディスクを共有する場合に、他のユーザが記録したコンテンツを飛ばして、自分が記録したコンテンツのみ順番に再生して視聴することができ、且つ自分が記録したコンテンツが他のユーザに視聴されるのを防止できる。
【発明を実施するための最良の形態】
【００１５】
以下、この発明の実施形態である光ディスク装置について説明する。
【００１６】
図１は、この発明の実施形態である光ディスク装置の主要部の構成を示すブロック図である。この発明の実施形態である光ディスク装置１は、本体の動作を制御する制御部２と、コンテンツの入力を受け付ける入力部３と、入力部３に入力されたコンテンツを本体にセットされているＣＤやＤＶＤ等の光ディスク１１に記録する記録部４と、本体にセットされている光ディスク１１に記録されているコンテンツのデータを読み取り、このコンテンツの映像信号や音声信号を生成する再生部５と、再生部５が生成したコンテンツの映像信号、音声信号を出力する出力部６と、本体に対して入力操作を行うキーが配置された操作部７と、図示していないリモコン装置から送信されてきた本体に対する制御信号を受信するリモコン受信部８と、を備えている。制御部２には、図２に示すように、装置本体を利用するユーザを識別するユーザ識別情報（この発明で言う管理者識別情報に相当する。）と、このユーザのパスワードと、を対応づけて記憶するメモリ２ａが設けられている。このメモリ２ａは、ＥＥＰＲＯＭ等の不揮発性のメモリである。
【００１７】
入力部３は、図示していないアンテナで受信されたテレビ放送信号から選択されているチャンネルで放送されている番組（コンテンツ）を抽出して出力するチューナ機能や、本体に接続された外部機器からコンテンツの入力を受け付ける外部入力機能を有している。記録部４は、ピックアップヘッド１０から光ディスク１１に照射するレーザ光を制御して、コンテンツを光ディスク１１に記録する。再生部５は、ピックアップヘッド１０から出力されるＲＦ信号に基づいてコンテンツの映像信号、音声信号を生成する。出力部６には、図示していない表示装置やスピーカ等が接続される。本体に対する入力操作は、操作部７または図示していないリモコン装置で行える。
【００１８】
次に、この発明の実施形態である光ディスク装置１の動作について説明する。まず、メモリ２ａにユーザ識別情報とパスワードを登録するパスワード登録処理について説明する。図３は、このパスワード登録処理を示すフローチャートである。ユーザは、操作部７または図示していないリモコン装置を操作して、装置本体をパスワード登録モードに移行する。光ディスク装置１は、まずユーザ識別情報の入力を受け付ける（ｓ１）。このとき、ユーザは、操作部７または図示していないリモコン装置を操作して、自分のユーザ識別情報を入力する。光ディスク装置１は、ｓ１で入力されたユーザ識別情報がメモリ２ａに記憶しているかどうかを判定し（ｓ２）、記憶されていなければ新規登録にかかる処理を行い、記憶されていればパスワードの更新にかかる処理を行う。
【００１９】
光ディスク装置１は、ｓ１で入力されたユーザ識別情報をメモリ２ａに記憶していなければ、パスワードの入力を受け付ける（ｓ３）。光ディスク装置１は、ｓ１で受け付けたユーザ識別情報と、ｓ３で受け付けたパスワードと、を対応づけてメモリ２ａに記憶し（ｓ４）、本処理を終了する。一方、光ディスク装置１は、ｓ１で入力されたユーザ識別情報をメモリ２ａに記憶していれば、メモリ２ａに記憶しているパスワードの入力を要求し（ｓ５）、パスワードが入力されるのを待つ（ｓ６）。ここでユーザは、メモリ２ａに記憶されている更新前のパスワードを装置本体に入力する。光ディスク装置１は、入力されたパスワードがメモリ２ａに記憶しているパスワードと一致していなければ、入力されたパスワードが間違っている旨を出力し（ｓ７、ｓ８）、ｓ６に戻ってパスワードが再入力されるのを待つ。反対に、、入力されたパスワードがメモリ２ａに記憶しているパスワードと一致していれば、更新するパスワードの入力を要求する（ｓ７、ｓ９）。光ディスク装置１は、更新するパスワードが入力されると（ｓ１０）、メモリ２ａに記憶している、該当するユーザ識別情報（ｓ１で入力されたユーザ識別情報）に対応づけられているパスワードをｓ１０で受け付けたパスワードに更新し（ｓ１１）、本処理を終了する。
【００２０】
なお、光ディスク装置１は、このパスワード登録処理におけるユーザの操作性を向上させるために、出力部６からユーザに対して操作手順を示すＯＳＤ画像を出力している。このＯＳＤ画像は、図示していないハードディスク等の記録媒体に記録されている。
【００２１】
また、メモリ２ａに記憶しているパスワードを更新する場合、メモリ２ａに記憶しているパスワードの入力を必要にしているので、他人のパスワードを勝手に更新することもできない。
【００２２】
次に、コンテンツの記録時における光ディスク装置１の動作について説明する。図４は、コンテンツの記録処理を示すフローチャートである。光ディスク装置１は、コンテンツの記録を開始するにあたり、このコンテンツを記録するユーザのユーザ識別情報を取得する（ｓ２１）。例えば、コンテンツの記録が外部機器から入力されるコンテンツのダビングであれば、ダビングを開始する前に、ユーザに対してユーザ識別情報の入力を要求する。また、コンテンツの記録が予約録画によるものであれば、ユーザが予約録画を行う際にユーザ識別情報の入力を要求し、予約録画を実行するときに、この予約録画情報（録画開始日時、録画するチャンネル等の情報）に含まれているユーザ識別情報を取得する。
【００２３】
光ディスク装置１は、ユーザ識別情報を取得すると、光ディスク１１に対するコンテンツの記録を開始する（ｓ２２）。光ディスク１１に対するコンテンツの記録は、記録部４が入力部３から入力された記録するコンテンツの映像信号、音声信号をエンコードし、エンコードしたデータに基づいて、ピックアップヘッド１０から光ディスク１１に照射するレーザ光を制御することにより行われる。光ディスク装置１は、ｓ２２で開始したコンテンツの記録が完了すると（ｓ２３）、光ディスク１１のＴＯＣ領域にこのコンテンツを管理する管理情報を記録する（ｓ２４）。この管理情報には、ｓ２１で取得したユーザ識別情報が含まれている。言い換えれば、光ディスク１１のＴＯＣ領域に、この光ディスク１１に記録されている、コンテンツ毎にこのコンテンツを記録したユーザを識別するユーザ識別情報が記録される。したがって、光ディスク１１を複数のユーザで共有している場合であっても、その光ディスク１１に記録されているコンテンツ毎に、記録したユーザを識別することができる。また、光ディスク１１に記録されている各コンテンツについて、記録したユーザを識別する情報（ユーザ識別情報）を、装置本体に記録するのではなく、光ディスク１１に記録する構成としたので、コンテンツ毎に記録したユーザを識別するための情報を記憶する構成を装置本体に設ける必要がなく、装置本体のコストアップという問題もおきない。
【００２４】
次に、光ディスク１１に記録されているコンテンツの再生時における光ディスク装置１の動作について説明する。図４は、光ディスクの再生処理を示すフローチャートである。光ディスク装置１は、まずユーザ識別情報、およびパスワードの入力を受け付ける（ｓ３１）。光ディスク装置１は、入力されたユーザ識別情報、およびパスワードが適正であるかどうかを判定する（ｓ３２）。ｓ３２では、今回入力されたユーザ識別情報をメモリ２ａに記憶しているかどうか、および記憶している場合にこのユーザ識別情報に対応づけられているパスワードと、今回入力されたパスワードが一致しているかどうかにより、適正であるかどうかを判定する。今回入力されたユーザ識別情報をメモリ２ａに記憶していない場合や、今回入力されたパスワードが記憶しているユーザ識別情報に対応づけられているパスワードと一致していない場合、適正でないと判定する。光ディスク装置１は、ｓ３２で適正でないと判定すると、ユーザ識別情報およびパスワードの再入力を要求する出力を行って（ｓ３３）、ｓ３１に戻る。
【００２５】
光ディスク装置１は、ｓ３２で適正であると判定すると、本体にセットされている光ディスク１１に記録されている各コンテンツの管理情報を読み出す（ｓ３４）。光ディスク１１に記録されている各コンテンツの管理情報は、この光ディスク１１のＴＯＣ領域に記録されている。また、上述したように、この管理情報には、このコンテンツを記録したユーザを識別するユーザ識別情報が含まれている。光ディスク装置１は、今回入力されたユーザ識別情報で識別されるユーザが記録したコンテンツを全て抽出する（ｓ３５）。光ディスク装置１は、ｓ３５で抽出しなかったコンテンツを飛ばし、ｓ３５で抽出したコンテンツを順番に再生する処理を開始する（ｓ３６）。コンテンツの再生は、再生部５がピックアップヘッド１１から出力されるＲＦ信号をデコードし、デコードしたＲＦ信号に基づいて映像信号、音声信号を生成し、出力部６が再生部で生成された映像信号、音声信号を出力する処理である。
【００２６】
このように、この実施形態の光ディスク装置１は、光ディスク１１に記録されているコンテンツ毎に、このコンテンツを記録したユーザを識別することができる。そして、ユーザは、ユーザ識別情報とパスワードを入力するだけで、自分が記録したコンテンツを順番に視聴することができるので、光ディスク１１を複数のユーザで共有している場合であっても、その光ディスク１１に自分が記録したコンテンツのみを、簡単に再生し視聴することができる。また、適正なパスワードが入力されないと、コンテンツの再生を禁止するようにしているので、自分が光ディスク１１に記録したコンテンツが他人に勝手に視聴されることもない。したがって、家族で光ディスク１１を共有している場合、父親等が光ディスク１１に記録した子供に視聴させたくないコンテンツについて、子供の視聴を制限することができる。
【図面の簡単な説明】
【００２７】
【図１】この発明の実施形態である光ディスク装置の主要部の構成を示すブロック図である。
【図２】この発明の実施形態である光ディスク装置のメモリに記憶されている情報を説明する図である。
【図３】パスワード登録処理を示すフローチャートである。
【図４】コンテンツの記録処理を示すフローチャートである。
【図５】光ディスクの再生処理を示すフローチャートである。
【符号の説明】
【００２８】
１−光ディスク装置
２−制御部
２ａ−メモリ
３−入力部
４−記録部
５−再生部
６−出力部
７−操作部
８−リモコン受信部
１０−ピックアップヘッド
１１−光ディスク
【図１】
2005332526.tif 000003
【図２】
2005332526.tif 000004
【図３】
2005332526.tif 000005
【図４】
2005332526.tif 000006
【図５】
2005332526.tif 000007